(57)【要約】【課題】  マイクロフォンにおける電力供給の必要性の有無に応じて適切な制御を行うことが可能な画像表示装置等を提供すること。【解決手段】  画像表示装置であるプロジェクター１００が、マイクロフォンから第１の音声信号が入力されるマイク入力端子１１０と、マイク入力端子１１０に接続される前記マイクロフォンの種別が電力供給が必要な第１の種別であるか、電力供給が不要な第２の種別であるかを示す種別情報に基づき、電源回路１９４からの前記マイクロフォンへの電力供給を制御する制御部１６０を含んで構成される。【選択図】  図２
2011103505.tif 000002
【特許請求の範囲】
【請求項１】
マイクロフォンから第１の音声信号が入力される第１の音声信号入力端子と、
当該第１の音声信号入力端子に接続される前記マイクロフォンの種別が電力供給が必要な第１の種別であるか、電力供給が不要な第２の種別であるかを示す種別情報に基づき、電源回路からの前記マイクロフォンへの電力供給を制御する制御部と、
を含む画像表示装置。
【請求項２】
請求項１に記載の画像表示装置において、
前記マイクロフォンの種別を選択する操作を受け付けるための種別選択画像を生成する画像生成部と、
前記種別選択画像を表示する表示部と、
前記マイクロフォンの種別の選択内容を示す第１の選択情報の入力を受け付ける情報入力部と、
前記第１の選択情報に基づき、前記マイクロフォンの種別の選択内容を判定する判定部と、
当該判定部による判定に応じて前記マイクロフォンの種別を示す種別データを更新する更新部と、
を含み、
前記制御部は、前記種別データに基づき、前記電源回路からの前記マイクロフォンへの電力供給を制御する、
を含む画像表示装置。
【請求項３】
請求項２に記載の画像表示装置において、
前記画像生成部は、前記種別選択画像において前記第１の種別が選択された場合、前記種別データにおける前記マイクロフォンの種別を前記第１の種別に変更してよいかどうかを選択する操作を受け付けるための確認画像を生成し、
前記表示部は、前記確認画像を表示し、
前記情報入力部は、前記マイクロフォンの種別を前記第１の種別に変更してよいかどうかを示す第２の選択情報の入力を受け付け、
前記判定部は、前記第２の選択情報に基づき、前記第１の種別に変更してよいことを示す選択が行われたかどうかを判定し、
前記更新部は、前記第１の種別に変更してよいことを示す選択が行われた場合、前記マイクロフォンの種別が前記第１の種別を示すように、前記種別データを更新する、
画像表示装置。
【請求項４】
請求項１〜３のいずれかに記載の画像表示装置において、
前記第１の音声信号を増幅して第１の増幅音声信号を生成する第１の音声増幅部と、
第２の音声信号が入力される第２の音声信号入力端子と、
前記第１の増幅音声信号と前記第２の音声信号とを混合して混合音声信号を生成する混合部と、
前記第１の増幅音声信号と前記第２の音声信号との混合比率を調整する調整部と、
前記混合音声信号に基づく音声を出力する音声出力部と、
を含み、
前記制御部は、前記マイクロフォンの種別が前記第１の種別である場合は前記第２の種別である場合と比べて前記第２の音声信号に対する前記第１の増幅音声信号の割合をより低下させるように、前記調整部を制御して前記混合比率を調整させる、
画像表示装置。
【請求項５】
マイクロフォンから第１の音声信号が入力される第１の音声信号入力端子を含む画像表示装置における制御方法であって、
前記画像表示装置は、
前記第１の音声信号入力端子に接続される前記マイクロフォンの種別が電力供給が必要な第１の種別であるか、電力供給が不要な第２の種別であるかを示す種別情報に基づき、前記マイクロフォンの種別を決定し、
決定したマイクロフォンの種別に応じて電源回路からの前記マイクロフォンへの電力供給を制御する、
制御方法。
【請求項６】
請求項５に記載の制御方法において、
前記画像表示装置は、
前記マイクロフォンの種別を選択する操作を受け付けるための種別選択画像を生成し、
前記種別選択画像を表示し、
前記マイクロフォンの種別の選択内容を示す第１の選択情報の入力を受け付け、
前記第１の選択情報に基づき、前記マイクロフォンの種別の選択内容を判定し、
当該判定に応じて前記マイクロフォンの種別を示す種別データを更新し、
前記種別データに基づき、前記電源回路からの前記マイクロフォンへの電力供給を制御する、
制御方法。
【請求項７】
請求項６に記載の制御方法において、
前記画像表示装置は、
前記種別選択画像において前記第１の種別が選択された場合、前記種別データにおける前記マイクロフォンの種別を前記第１の種別に変更してよいかどうかを選択する操作を受け付けるための確認画像を生成し、
当該確認画像を表示し、
前記マイクロフォンの種別を前記第１の種別に変更してよいかどうかを示す第２の選択情報の入力を受け付け、
前記第２の選択情報に基づき、前記第１の種別に変更してよいことを示す選択が行われたかどうかを判定し、
前記第１の種別に変更してよいことを示す選択が行われた場合、前記マイクロフォンの種別が前記第１の種別を示すように、前記種別データを更新する、
制御方法。
【発明の詳細な説明】
【技術分野】
【０００１】
本発明は、画像表示装置および制御方法に関する。
【背景技術】
【０００２】
プロジェクター等の画像表示装置に音声信号を供給するマイクロフォンとしては、電力の供給が不要なマイクロフォン（例えば、ダイナミックマイク等）と、電力の供給が必要なマイクロフォン（例えば、プラグインパワーマイク、エレクトレットコンデンサーマイク等）がある。
【０００３】
例えば、プラグインパワーマイクの場合、画像表示装置の本体からプラグインパワーマイクに電力を供給しないと使用できないのに対し、ダイナミックマイクの場合、本体からダイナミックマイクに電力を供給すると故障してしまう可能性がある。
【０００４】
このため、画像表示装置は、マイクロフォンの種別を判定し、マイクロフォンの種別に応じた制御を行う必要がある。例えば、特開平８−２９３１５９号公報に記載された録音装置は、マイクロフォンプラグが接続された端子の電圧を検出してマイクの種別がステレオマイクロフォンであるかモノラルマイクロフォンであるかを判定している。
【先行技術文献】
【特許文献】
【０００５】
【特許文献１】特開平８−２９３１５９号公報
【発明の概要】
【発明が解決しようとする課題】
【０００６】
しかし、端子の電圧を検出する手法では、画像表示装置は、電力の供給が不要なマイクロフォンと電力の供給が必要なマイクロフォンのどちらが接続されているか判定することはできない。
【０００７】
本発明にかかるいくつかの態様は、上記課題を解決することにより、マイクロフォンにおける電力供給の必要性の有無に応じて適切な制御を行うことが可能な画像表示装置および制御方法を提供するものである。
【課題を解決するための手段】
【０００８】
本発明の態様の１つである画像表示装置は、マイクロフォンから第１の音声信号が入力される第１の音声信号入力端子と、当該第１の音声信号入力端子に接続される前記マイクロフォンの種別が電力供給が必要な第１の種別であるか、電力供給が不要な第２の種別であるかを示す種別情報に基づき、電源回路からの前記マイクロフォンへの電力供給を制御する制御部と、を含むことを特徴とする。
【０００９】
また、本発明の態様の１つである制御方法は、マイクロフォンから第１の音声信号が入力される第１の音声信号入力端子を含む画像表示装置における制御方法であって、前記画像表示装置は、前記第１の音声信号入力端子に接続される前記マイクロフォンの種別が電力供給が必要な第１の種別であるか、電力供給が不要な第２の種別であるかを示す種別情報に基づき、前記マイクロフォンの種別を決定し、決定したマイクロフォンの種別に応じて電源回路からの前記マイクロフォンへの電力供給を制御することを特徴とする。
【００１０】
本発明によれば、画像表示装置は、種別情報に基づき、音声信号入力端子に接続されるマイクロフォンの種別が電力供給が必要な種別であるかどうかを決定することができるため、マイクロフォンにおける電力供給の必要性の有無に応じて適切な制御を行うことができる。
【００１１】
また、前記画像表示装置は、前記マイクロフォンの種別を選択する操作を受け付けるための種別選択画像を生成する画像生成部と、前記種別選択画像を表示する表示部と、前記マイクロフォンの種別の選択内容を示す第１の選択情報の入力を受け付ける情報入力部と、前記第１の選択情報に基づき、前記マイクロフォンの種別の選択内容を判定する判定部と、当該判定部による判定に応じて前記マイクロフォンの種別を示す種別データを更新する更新部と、を含み、前記制御部は、前記種別データに基づき、前記電源回路からの前記マイクロフォンへの電力供給を制御してもよい。
【００１２】
また、前記画像表示装置は、前記マイクロフォンの種別を選択する操作を受け付けるための種別選択画像を生成し、前記種別選択画像を表示し、前記マイクロフォンの種別の選択内容を示す第１の選択情報の入力を受け付け、前記第１の選択情報に基づき、前記マイクロフォンの種別の選択内容を判定し、当該判定に応じて前記マイクロフォンの種別を示す種別データを更新し、前記種別データに基づき、前記電源回路からの前記マイクロフォンへの電力供給を制御してもよい。
【００１３】
これらによれば、画像表示装置は、ユーザーにマイクロフォンの種別を選択させ、当該選択に応じて電力供給制御を行うことができるため、種別の誤判定を防止し、より適切な制御を行うことができる。
【００１４】
また、前記画像生成部は、前記種別選択画像において前記第１の種別が選択された場合、前記種別データにおける前記マイクロフォンの種別を前記第１の種別に変更してよいかどうかを選択する操作を受け付けるための確認画像を生成し、前記表示部は、前記確認画像を表示し、前記情報入力部は、前記マイクロフォンの種別を前記第１の種別に変更してよいかどうかを示す第２の選択情報の入力を受け付け、前記判定部は、前記第２の選択情報に基づき、前記第１の種別に変更してよいことを示す選択が行われたかどうかを判定し、前記更新部は、前記第１の種別に変更してよいことを示す選択が行われた場合、前記マイクロフォンの種別が前記第１の種別を示すように、前記種別データを更新してもよい。
【００１５】
また、前記画像表示装置は、前記種別選択画像において前記第１の種別が選択された場合、前記種別データにおける前記マイクロフォンの種別を前記第１の種別に変更してよいかどうかを選択する操作を受け付けるための確認画像を生成し、当該確認画像を表示し、前記マイクロフォンの種別を前記第１の種別に変更してよいかどうかを示す第２の選択情報の入力を受け付け、前記第２の選択情報に基づき、前記第１の種別に変更してよいことを示す選択が行われたかどうかを判定し、前記第１の種別に変更してよいことを示す選択が行われた場合、前記マイクロフォンの種別が前記第１の種別を示すように、前記種別データを更新してもよい。
【００１６】
これらによれば、画像表示装置は、ユーザーが第１の種別を選択した際に第１の種別に変更してよいかどうかを確認させることにより、ユーザーの誤選択を防止し、より適切な制御を行うことができる。
【００１７】
また、前記画像表示装置は、前記第１の音声信号を増幅して第１の増幅音声信号を生成する第１の音声増幅部と、第２の音声信号が入力される第２の音声信号入力端子と、前記第１の増幅音声信号と前記第２の音声信号とを混合して混合音声信号を生成する混合部と、前記第１の増幅音声信号と前記第２の音声信号との混合比率を調整する調整部と、前記混合音声信号に基づく音声を出力する音声出力部と、を含み、前記制御部は、前記マイクロフォンの種別が前記第１の種別である場合は前記第２の種別である場合と比べて前記第２の音声信号に対する前記第１の増幅音声信号の割合をより低下させるように、前記調整部を制御して前記混合比率を調整させてもよい。
【００１８】
これによれば、画像表示装置は、マイクロフォンの種別に応じて混合比率を調整することにより、ノイズの発生等を低減し、より適切な制御を行うことができる。
【図面の簡単な説明】
【００１９】
【図１】第１の実施例におけるプロジェクターの外観図である。
【図２】第１の実施例におけるプロジェクターの機能ブロック図である。
【図３】第１の実施例における制御手順を示すフローチャートである。
【図４】第１の実施例における種別選択画像の一例を示す図である。
【図５】第１の実施例における確認画像の一例を示す図である。
【発明を実施するための形態】
【００２０】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２１】
（第１の実施例）
図１は、第１の実施例におけるプロジェクター１００の外観図である。プロジェクター１００は、ＤＶＤドライブユニットを内蔵した携帯型のプロジェクターである。プロジェクター１００の背面にはマイク（マイクロフォン）音声が入力されるマイク入力端子、オーディオ端子、ビデオ端子、コンポーネント端子、ＵＳＢ端子等が設けられている。
【００２２】
本実施例のプロジェクター１００は、マイク入力端子に接続されるマイクの種別（本実施例では電力供給が必要な第１の種別に該当するプラグインパワーマイクと電力供給が不要な第２の種別に該当するダイナミックマイクのいずれか）に応じて音声の混合比率を示すゲインを調整する機能を有している。
【００２３】
次に、このような機能を有するプロジェクター１００の機能ブロックについて説明する。図２は、第１の実施例におけるプロジェクター１００の機能ブロック図である。プロジェクター１００は、マイクに接続されたマイク端子と接続される第１の音声信号入力端子であるマイク入力端子１１０と、マイク入力端子１１０からのマイク音声信号を増幅して第１の増幅音声信号を生成する第１の音声増幅部１１２と、第２の音声信号入力端子であるライン入力端子１１４を含んで構成されている。
【００２４】
また、プロジェクター１００は、第１の音声増幅部１１２からの第１の増幅音声信号のゲインを調整する第１のゲイン調整部１５０と、ライン入力端子１１４からの第２の音声信号のゲインを調整する第２のゲイン調整部１５２と、第１のゲイン調整部１５０からの第１の増幅音声信号と第２のゲイン調整部１５２からの第２の音声信号の混合（ミキシング）を行う混合部１９６と、混合部１９６からの音声信号を増幅する第２の音声増幅部１７０と、第２の音声増幅部１７０からの第２の増幅音声信号に基づいて音声を出力する音声出力部１７２を含んで構成されている。
【００２５】
また、プロジェクター１００は、リモコン（リモートコントローラー）やプロジェクター１００本体の操作パネルからの情報が入力される情報入力部１２０と、種別情報の一種である種別データ１４２、ゲインデータ１４４等を記憶する記憶部１４０と、種別データ１４２等を更新する更新部１３０と、マイク入力端子１１０を介してマイクに電力を供給する電源回路１９４と、電源回路１９４、第１のゲイン調整部１５０等を制御する制御部１６０と、種々の判定を行う判定部１６２と、画像信号が入力される画像入力端子１９２と、画像信号等に応じて画像を生成する画像生成部１８０と、画像を投写する投写部１９０を含んで構成されている。
【００２６】
なお、種別データ１４２は、例えば、マイク入力端子１１０に接続されるマイクが、電力供給が必要なプラグインパワーマイクであるか、電力供給が不要なダイナミックマイクであるかを示すデータである。また、ゲインデータ１４４は、例えば、プラグインパワーマイクである場合はプラグインパワーマイクでない場合と比べて第２の音声信号に対する第１の増幅音声信号の割合をより低下させる設定が行われたデータであるものとする。
【００２７】
より具体的には、ゲインデータ１４４は、例えば、プラグインパワーマイクである場合は第２の音声信号は変化させずに第１の増幅音声信号を元の値の５０〜９０％に低減させ、ダイナミックマイクである場合は第２の音声信号および第１の増幅音声信号を変化させないものであってもよい。また、ゲインデータ１４４は、マイクの種別ごとに、第１のゲイン調整部１５０のゲイン値および第２のゲイン調整部１５２のゲイン値を示すデータであってもよい。
【００２８】
また、ライン入力端子１１４には、外部機器（例えば、ＣＤプレーヤー、ＤＶＤプレーヤー、ＰＣ等）からの音声信号、内蔵ＤＶＤドライブユニットからの音声信号、ＵＳＢメモリーからの音声信号等が入力される。
【００２９】
また、プロジェクター１００は、以下のハードウェアを用いてこれらの各部として機能してもよい。例えば、プロジェクター１００は、情報入力部１２０はリモコンからの赤外線を受光する赤外線受光ユニット等、更新部１３０、制御部１６０、判定部１６２はＣＰＵ等、記憶部１４０は不揮発性メモリー等、画像生成部１８０は画像処理回路等、投写部１９０はランプ、液晶パネル、液晶駆動回路、レンズ等、第１のゲイン調整部１５０、第２のゲイン調整部１５２はオーディオコントローラーとして機能するＤＳＰ(Digital Signal Processor)等を用いてもよい。その他の各部は、一般的な端子、アンプ、スピーカー等である。
【００３０】
次に、これらの各部を用いたマイクへの電力供給等の制御手順について説明する。図３は、第１の実施例における制御手順を示すフローチャートである。ユーザーは、プロジェクター１００に接続するマイクの種別を変更する場合、リモコンまたはプロジェクター１００本体の操作パネルを操作してマイクの種別の変更指示を行う。判定部１６２は、情報入力部１２０からの情報に基づき、マイクの種別の変更指示が行われたかどうかを判定する（ステップＳ１）。
【００３１】
マイクの種別の変更指示が行われたと判定された場合、制御部１６０は、画像生成部１８０を制御してマイクの種別を選択する操作を受け付けるための種別選択画像を生成させ、画像生成部１８０は、種別データ１４２等に基づき、種別選択画像を生成し、投写部１９０は、当該種別選択画像を投写する（ステップＳ２）。
【００３２】
図４は、第１の実施例における種別選択画像３００の一例を示す図である。種別選択画像３００は、プロジェクター１００に接続するマイクがプラグインパワーマイクであることを示す選択肢（オン）、当該マイクがプラグインパワーマイクでないことを示す選択肢（オフ）等を示す画像である。なお、本実施例の初期状態では、種別データ１４２はマイクがプラグインパワーマイクでないことを示し、種別選択画像３００ではマイクがプラグインパワーマイクでないことを示す選択肢が選択された状態であるものとする。
【００３３】
ユーザーは、リモコンまたはプロジェクター１００本体の上下キーを操作して選択を行う。判定部１６２は、情報入力部１２０からの情報（マイクの種別の選択内容を示す第１の選択情報）に基づき、ユーザーが、選択操作を行ったかどうかを判定し（ステップＳ３）、マイクがプラグインパワーマイクであることを示す選択肢を選択したかどうかを判定する（ステップＳ４）。
【００３４】
プラグインパワーマイクが選択された場合、制御部１６０は、画像生成部１８０を制御してマイクがプラグインパワーに対応しているかどうかを選択する操作を受け付けるための確認画像を生成させ、投写部１９０は、当該確認画像を投写する（ステップＳ５）。
【００３５】
図５は、第１の実施例における確認画像３１０の一例を示す図である。確認画像３１０は、「マイクがプラグインパワーに対応していることを確認してください。設定を変更しますか？」といった文字列、「はい」を示す選択肢、「いいえ」を示す選択肢等を示す画像である。
【００３６】
なお、種別選択画像３００および確認画像３１０は、ＯＳＤ（On Screen Display）画像であってもよく、画像生成部１８０は、画像入力端子１９２からの画像信号に基づく画像に種別選択画像３００または確認画像３１０を示すＯＳＤ画像を重ねた画像を生成してもよい。
【００３７】
判定部１６２は、情報入力部１２０からの情報（マイクの種別をダイナミックマイクに変更してよいかどうかを示す第２の選択情報）に基づき、ユーザーが、「はい」の選択操作を行ったかどうかを判定する（ステップＳ６）。
【００３８】
「はい」の選択操作を行われた場合、制御部１６０は、電源回路１９４を制御してマイク入力端子１１０を介してマイク入力端子１１０に接続されたマイクに電力を供給させる（ステップＳ７）。
【００３９】
また、種別選択画像３００で種別の変更操作が行われた場合、更新部１３０は、判定部１６２による判定結果に基づき、種別データ１４２を更新することにより、選択に応じたマイク種別の設定を行う（ステップＳ８）。
【００４０】
制御部１６０は、種別データ１４２と、ゲインデータ１４４に基づき、マイクの種別に応じた混合比率となるように第１のゲイン調整部１５０および第２のゲイン調整部１５２を制御し、混合部１９６は、ゲインの調整された第１の増幅音声信号および第２の音声信号を混合し、第２の音声増幅部１７０は、混合部１９６からの音声信号を増幅して第２の増幅音声信号を生成し、音声出力部１７２は、第２の増幅音声信号に基づき、音声を出力する（ステップＳ９）。
【００４１】
以上のように、本実施例によれば、プロジェクター１００は、種別データ１４２で示される種別情報に基づき、マイク入力端子１１０に接続されるマイクの種別が電力供給が必要な種別であるかどうかを判定することができるため、マイクにおける電力供給の必要性の有無に応じて適切な制御を行うことができ、マイクにおける故障の発生を低減することができる。
【００４２】
また、本実施例によれば、プロジェクター１００は、種別選択画像３００を投写することにより、ユーザーにマイクの種別を選択させ、当該選択に応じて電力供給制御を行うことができるため、種別の誤判定を防止し、より適切な制御を行うことができる。
【００４３】
また、本実施例によれば、プロジェクター１００は、確認画像３１０を投写することにより、ユーザーがプラグインパワーを選択した際にプラグインパワーに変更してよいかどうかを確認させることにより、ユーザーの誤選択を防止し、より適切な制御を行うことができる。
【００４４】
さらに、本実施例によれば、プロジェクター１００は、プラグインパワーである場合はプラグインパワーでない場合と比べて第２の音声信号に対する第１の増幅音声信号の割合をより低下させる設定の行われたゲインデータ１４４を用いることにより、マイクの種別に応じて混合比率を調整することにより、ノイズの発生等を低減し、より適切な制御を行うことができる。
【００４５】
（その他の実施例）
なお、本発明の適用は上述した実施例に限定されず、種々の変形が可能である。例えば、種別データ１４２やゲインデータ１４４等は必須ではない。例えば、制御部１６０は、情報入力部１２０は、ユーザーの選択を受け付けるリモコンやマイクの種別を示す情報を記憶するアンプ等の外部装置からマイクの種別を示す種別情報が入力され、制御部１６０は、当該種別情報に基づいてマイクへの電源供給制御等を行ってもよい。
【００４６】
また、プロジェクター１００は、各音声信号の入力レベルを検出し、当該入力レベルに応じて第１の音声増幅部１１２や第２の音声増幅部１７０を制御してもよい。
【００４７】
また、プロジェクター１００は、情報記憶媒体に記憶されたプログラムを読み取ることにより、上述したプロジェクター１００の各部として機能してもよい。また、画像表示装置は、プロジェクター１００に限定されず、例えば、テレビ、カラオケ装置等であってもよい。
【００４８】
また、プロジェクター１００は、液晶プロジェクター（透過型、ＬＣＯＳ等の反射型）に限定されず、例えば、例えば、デジタルマイクロミラーデバイスを用いたプロジェクター等であってもよい。また、プロジェクター１００の機能を複数の装置（例えば、ＰＣとプロジェクター等）に分散してもよい。
【符号の説明】
【００４９】
１００  プロジェクター（画像表示装置）、１１０  マイク入力端子（第１の音声信号入力端子）、１１２  第１の音声増幅部、１１４  ライン入力端子（第２の音声信号入力端子）、１２０  情報入力部、１３０  更新部、１４０  記憶部、１４２  種別データ、１４４  ゲインデータ、１５０  第１のゲイン調整部（調整部）、１５２  第２のゲイン調整部（調整部）、１６０  制御部、１６２  判定部、１７０  第２の音声増幅部、１７２  音声出力部、１８０  画像生成部、１９０  投写部（表示部）、１９２  画像入力端子、１９４  電源回路、１９６  混合部、３００  種別選択画像、３１０  確認画像
【図２】
2011103505.tif 000003
【図３】
2011103505.tif 000004
【図１】
2011103505.tif 000005
【図４】
2011103505.tif 000006
【図５】
2011103505.tif 000007